(57)【特許請求の範囲】
【請求項１】
男性器に装着されて男性器から排泄される尿を吸収する尿吸収物品であって、
内側面を構成する液透過性のトップシートと、外側面を構成する液不透過性のバックシートと、前記トップシート及び前記バックシートの間に介在する第１吸収体とを有し、その一部分に開口部が形成された袋体と、
前記開口部の近傍の前記バックシートより内側に設けられた第２吸収体と、
を備え、
前記第２吸収体の吸水速度は、前記第１吸収体の吸水速度より速く、
前記袋体の前記開口部の近傍には、前記開口部を伸縮させる弾性部材が設けられており、
前記第２吸収体は、前記弾性部材より内側で、かつ、前記弾性部材と少なくとも部分的に重なる位置に設けられており、
前記第２吸収体の前記開口部側の端部は、前記弾性部材の前記開口部側の端部よりも前記袋体の底部側に離間していることを特徴とする尿吸収物品。
【請求項２】
請求項１に記載の尿吸収物品であって、
前記第２吸収体は、高分子吸収体により構成されていることを特徴とする尿吸収物品。
【請求項３】
請求項１又は請求項２に記載の尿吸収物品であって、
前記第２吸収体のＶｏｒｔｅｘ法に基づく吸水速度は、１０秒以下であることを特徴とする尿吸収物品。
【請求項４】
請求項１から請求項３までのいずれかに記載の尿吸収物品であって、
前記第２吸収体は、吸水により膨張する性質を有することを特徴とする尿吸収物品。
【請求項５】
請求項１から請求項４までのいずれかに記載の尿吸収物品であって、
前記バックシートの前記開口部側の端部は、内側へ折り返されており、
前記第２吸収体と前記弾性部材との間に、前記バックシートの折り返された部分が介在することを特徴とする尿吸収物品。
【請求項６】
請求項１から請求項５までのいずれかに記載の尿吸収物品であって、
前記第２吸収体の前記開口部側の端部は、前記開口部の縁から離間していることを特徴とする尿吸収物品。
【発明の詳細な説明】
【技術分野】
【０００１】
本発明は、男性器に装着されて男性器から排泄される尿を吸収する尿吸収物品に関する。
【背景技術】
【０００２】
従来、おむつや下着の内側で男性器に装着され、男性器から排泄される尿を吸収する採尿パッドが知られている。このような採尿パッドの例として、特許文献１，２には、男性器を挿入するための開口部を有する袋状の採尿パッドが記載されている。
【先行技術文献】
【特許文献】
【０００３】
【特許文献１】特開２００４−１５９７２４号公報
【特許文献２】特開２００６−３４５４５号公報
【発明の概要】
【発明が解決しようとする課題】
【０００４】
しかしながら、特許文献１に開示された採尿パッドは、袋状体の収容口部以外の部分に配置された吸収体のみで、尿を吸収する構造となっている。このため、採尿パッドの内部に排泄された尿が、着用者の姿勢等により、開口部側へ逆流した際には、開口部から外部へ尿が漏れ出してしまうおそれがある。
【０００５】
一方、特許文献２に開示された受尿器具は、取着体の下部に高分子吸収シートを備えているものの、袋自体には吸収体を備えていない。このため、袋内に溜まった尿が、開口部側へ一度に勢いよく逆流する場合があると考えられる。そのような場合には、取着体の高分子吸収シートのみで全ての尿を迅速に吸収することはできず、開口部から外部へ尿が漏れ出してしまうおそれがある。
【０００６】
本発明は、このような事情に鑑みなされたものであり、開口部へ逆流する尿の量を低減させるとともに、開口部へ逆流した尿を迅速に吸収し、開口部からの尿の漏れを防止することができる尿吸収物品を提供することを目的とする。
【課題を解決するための手段】
【０００７】
上記課題を解決するため、本願の第１発明は、男性器に装着されて男性器から排泄される尿を吸収する尿吸収物品であって、内側面を構成する液透過性のトップシートと、外側面を構成する液不透過性のバックシートと、前記トップシート及び前記バックシートの間に介在する第１吸収体とを有し、その一部分に開口部が形成された袋体と、前記開口部の近傍の前記バックシートより内側に設けられた第２吸収体と、を備え、前記第２吸収体の吸水速度は、前記第１吸収体の吸水速度より速く、前記袋体の前記開口部の近傍には、前記開口部を伸縮させる弾性部材が設けられており、前記第２吸収体は、前記弾性部材より内側で、かつ、前記弾性部材と少なくとも部分的に重なる位置に設けられており、前記第２吸収体の前記開口部側の端部は、前記弾性部材の前記開口部側の端部よりも前記袋体の底部側に離間していることを特徴とする。
【０００８】
本願の第２発明は、第１発明の尿吸収物品であって、前記第２吸収体は、高分子吸収体により構成されていることを特徴とする。
【０００９】
本願の第３発明は、第１発明又は第２発明の尿吸収物品であって、前記第２吸収体のＶｏｒｔｅｘ法に基づく吸水速度は、１０秒以下であることを特徴とする。
【００１０】
本願の第４発明は、第１発明から第３発明までのいずれかの尿吸収物品であって、前記第２吸収体は、吸水により膨張する性質を有することを特徴とする。
【００１２】
本願の第５発明は、第１発明から第４発明までのいずれかの尿吸収物品であって、前記バックシートの前記開口部側の端部は、内側へ折り返されており、前記第２吸収体と前記弾性部材との間に、前記バックシートの折り返された部分が介在することを特徴とする。
【００１３】
本願の第６発明は、第１発明から第５発明までのいずれかの尿吸収物品であって、前記第２吸収体の前記開口部側の端部は、前記開口部の縁から離間していることを特徴とする。
【発明の効果】
【００１４】
本願の第１発明〜第６発明によれば、袋体の内部に排泄された尿は、第１吸収体に吸収され、これにより、開口部へ逆流する尿の量が低減される。また、開口部へ逆流した尿は、第２吸収体で迅速に吸収される。このため、開口部からの尿の漏れを良好に防止することができる。
また、弾性部材が第２吸収体を男性器に密着させるため、開口部からの尿の漏れをより良好に防止することができる。
【００１５】
特に、本願の第２発明によれば、高分子吸収体の吸水力を利用して、尿を迅速に吸収することができる。
【００１６】
特に、本願の第３発明によれば、開口部へ逆流する尿を、より迅速に吸収することができる。
【００１７】
特に、本願の第４発明によれば、第２吸収体は、膨張することにより男性器の周囲の隙間を閉塞する。このため、開口部からの尿の漏れをより良好に防止することができる。
【００１９】
特に、本願の第５発明によれば、第２吸収体から弾性部材へ、尿が浸透してしまうことを防止することができる。
【００２０】
特に、本願の第６発明によれば、開口部の縁まで尿が浸透することを防止することができる。
【図面の簡単な説明】
【００２１】
【図１】採尿パッドの全体図である。
【図２】図１のII−II位置から見た採尿パッドの断面図である。
【図３】採尿パッドの開口部の近傍の部分拡大縦断面図である。
【図４】採尿パッド１の展開図である。
【発明を実施するための形態】
【００２２】
以下、本発明の好適な実施形態について、図面を参照しつつ説明する。
【００２３】
＜１．採尿パッドの構成＞
図１は、本発明の一実施形態に係る採尿パッド１の全体図である。また、図２は、図１のII−II位置から見た採尿パッド１の断面図である。この採尿パッド１は、男性器（ペニス）に装着されて男性器から排泄される尿を吸収する尿吸収物品である。着用者は、この採尿パッド１を装着し、その上におむつや下着を着用する。軽度の排尿であれば、おむつや下着を交換することなく、採尿パッド１のみを交換すれば済むため、着用者の経済的負担や介護者の介護負担が軽減される。
【００２４】
この採尿パッド１は、男性器を収容可能な袋体１０を有する。袋体１０には、男性器を挿入するための開口部１０ａが形成されている。図２に示したように、袋体１０は、その内側面を構成する液透過性のトップシート１１と、外側面を構成する液不透過性のバックシート１２と、両シート１１，１２の間に介在する第１吸収体１３とを有する。袋体１０の内部に尿が排泄されると、当該尿は、トップシート１１を通過するが、バックシート１２を通過することはなく、トップシート１１とバックシート１２との間において、第１吸収体１３に吸収保持される。
【００２５】
トップシート１１は、例えば、親水性繊維（セルロース、レーヨン、コットン等）を用いた不織布により構成される。また、トップシート１１は、疎水性繊維（ポリプロピレン、ポリエチレン、ポリエステル、ポリアミド、ナイロン等）の表面を界面活性剤により処理して液透過性とした不織布により構成されていてもよい。
【００２６】
バックシート１２は、例えば、疎水性繊維（ポリプロピレン、ポリエチレン、ポリエステル、ポリアミド、ナイロン等）を用いた撥水性の不織布により構成される。バックシート１２は、プラスチックフィルムにより構成されていてもよく、また、プラスチックフィルムとその外側に貼着された柔軟性の高い不織布とにより構成されていてもよい。
【００２７】
第１吸収体１３は、例えば、シート状の高分子吸収体により構成され、トップシート１１とバックシート１２との間に、接着剤で固定されている。また、第１吸収体１３は、粉砕したパルプ繊維やセルロース繊維などの親水性繊維の集合層に、顆粒状の高分子吸収体を混合した塊を、ティッシュペーパーなどの紙シートまたは透液性不織布シートの被覆シートで被覆したものにより構成されていてもよい。
【００２８】
なお、第１吸収体１３を、パルプ非存在の高分子吸収体により構成すれば、吸収体１３を薄型に形成することができる。このため、採尿パッド１を装着したときの違和感を軽減することができる。
【００２９】
図３は、採尿パッド１の開口部１０ａの近傍の部分拡大縦断面図である。図３に示したように、採尿パッド１は、開口部１０ａに沿ってのびる複数本の弾性部材１４を有している。また、バックシート１２は、開口部１０ａの近傍において、複数本の弾性部材１４を被覆するように、内側へ折り返されている。複数本の弾性部材１４は、バックシート１２の折り返された部分に挟まれ、接着剤で固定されている。接着剤としては、例えば、ホットメルトタイプの接着剤が使用される。
【００３０】
複数本の弾性部材１４は、自然長よりも伸長された状態で、バックシート１２に固定されている。このため、複数本の弾性部材１４は、開口部１０ａを縮めるように弾性力を発生させる。一方、採尿パッド１の着用者又は介護者は、弾性部材１４の弾性力に抗して、開口部１０ａを広げることもできる。弾性部材１４には、例えば、ポリウレタン糸を使用すればよいが、ポリウレタンフィルムや天然ゴムなどを使用してもよい。
【００３１】
なお、図３に示したように、トップシート１１の開口部１０ａ側の端辺１１ａは、バックシート１２の折り返された部分より、袋体１０の底部側に位置している。すなわち、トップシート１１の開口部１０ａ側の端辺１１ａは、袋体１０の開口部１０ａの縁１０ｃから離間している。これにより、トップシート１１を伝って開口部１０ａの縁１０ｃまで尿が浸透することを、防止している。
【００３２】
また、本実施形態の採尿パッド１は、袋体１０の開口部１０ａの近傍に、第２吸収体２１を備えている。第２吸収体２１は、バックシート１２の折り返された部分より、袋体１０の内側に配置されている。また、第２吸収体２１は、液透過性の透水性シート２２の内部に、接着剤で固定されている。第２吸収体２１及び透水性シート２２は、一体の吸収シート体２０を構成している。
【００３３】
このように、本実施形態の採尿パッド１は、第１吸収体１３と第２吸収体２１とを備えている。袋体１０の内部に排泄された尿は、まず、第１吸収体１３に吸収され、これにより、開口部１０ａへ逆流する尿の量が低減される。また、第１吸収体１３に未吸収の尿が、開口部１０ａ側へ逆流した場合にも、当該尿は、第２吸収体２１に吸収される。
【００３４】
特に、第２吸収体２１には、第１吸収体１３よりも吸水速度の速い材料が使用されている。このため、開口部１０ａ側へ逆流した尿は、第２吸収体２１に迅速に吸収される。これにより、開口部１０ａから外部への尿の漏れが、良好に防止される。
【００３５】
また、袋体１０の開口部１０ａには、開口部シート３０が設けられている。開口部シート３０は、吸収シート体２０の内側面からバックシート１２の外側面にかけて、接着剤を介して貼着されている。吸収シート体２０は、バックシート１２と開口部シート３０との間に固定されることにより、その位置が定められている。開口部シート３０は、液透過性の不織布により構成されている。また、開口部シート３０は、比較的柔軟な不織布により構成されているため、着用者の肌への当たりを和らげ、肌に対する刺激を低減させる役割も果たす。
【００３６】
また、図１に示したように、袋体１０には、開口部１０ａの縁１０ｃから底部側へ向けて切れ込んだスリット１０ｂが形成されている。また、スリット１０ｂの縁には、男性器のサイズに応じて開口部１０ａを固定する固定部材４０が設けられている。固定部材４０は、袋体１０のスリット１０ｂ縁にその基端部が貼着された基材シート４１と、基材シート４１の他端部側に設けられた雄部材４２とを有する。雄部材４２は、例えば、面ファスナーのフック材により構成されており、開口部シート３０の表面の任意の位置に対して、着脱可能となっている。
【００３７】
なお、固定部材４０は、必ずしも開口部シート３０に対して雄部材４２を付着させるものでなくてもよい。例えば、開口部１０ａの近傍のバックシート１２の外側面に雌部材（例えば、面ファスナーのループ材）を設け、当該雌部材に対して雄部材４２を付着させるようにしてもよい。
【００３８】
図４は、採尿パッド１の展開図である。採尿パッド１は、トップシート１１、第１吸収体１３、及びバックシート１２をこの順に積層させた、略長方形状の積層体２から形成される。採尿パッド１を製造するときには、まず、積層体２を、その長手方向の中央付近において幅方向にのびる折曲線２ａを境として、トップシート１１が内側となるように折曲する。そして、折曲された積層体２の両側辺を、長手方向に熱シール等で封止することにより、図１及び図２の状態の採尿パッド１を得る。
【００３９】
採尿パッド１を装着するときには、まず、着用者又は介護者は、採尿パッド１の開口部１０ａを広げる。そして、開口部１０ａを広げた状態で、袋体１０を男性器にかぶせる。着用者又は介護者が開口部１０ａから指を離すと、袋体１０は、弾性部材１４の弾性力により、男性器に固定される。その後、着用者又は介護者は、固定部材４０の雄部材４２を、開口部シート３０の適当な位置に付着させる。これにより、男性器のサイズに応じて開口部１０ａの大きさを調節し、男性器に対して採尿パッド１をしっかりと固定する。
【００４０】
特に、本実施形態の採尿パッド１は、開口部１０ａの近傍にスリット１０ｂを有し、スリット１０ｂの縁に固定部材４０が取り付けられている。このため、固定部材を引っ張ってスリット１０ｂの縁同士を重ねることができる。これにより、開口部シート３０と男性器との間に隙間が発生することを抑制しつつ、開口部１０ａの大きさ調節することができる。
【００４１】
＜２．第２吸収体について＞
上述の通り、第２吸収体２１には、第１吸収体１３よりも吸水速度の速い材料が使用されている。このため、袋体１０の内部から開口部１０ａ側へ尿が逆流した場合に、当該尿を、第２吸収体２１で迅速に吸収することができる。これにより、開口部１０ａから外部への尿の漏れが、良好に防止される。
【００４２】
第１吸収体１３及び第２吸収体２１の吸水速度の比較にあたっては、例えば、ＪＩＳ規格Ｋ７２２４（１９９６年制定）に規定されたＶｏｒｔｅｘ法により測定される吸水時間を、第１吸収体１３と第２吸収体２１とで比較すればよい。
【００４３】
Ｖｏｒｔｅｘ法による吸水速度試験方法の概要を説明すると、（１）まず、試料となる吸収体を約２．００ｇ量り採る。（２）次に、底面が平らな１００ｍｌのビーカーに、０．９±０．００１Ｍ／ｖ％の生理食塩水５０ｇ及びスターラーチップ（中央部の直径が８ｍｍ，両端部の直径が７ｍｍ，長さが３０ｍｍで、ふっ素樹脂でコーティングされたもの）を入れ、当該ビーカーをマグネチックスターラーに載せる。（３）マグネチックスターラーの回転数を毎分６００±６０回に合わせて、生理食塩水が安定した渦を生成することを確認する。（４）その後、（１）で量り採った吸収体を、ビーカーの内壁面付近に均一になるように入れ、タイマーを始動させる。（５）スターラーチップが生理食塩水に覆われた時点（渦が消えて、液面が平らになった時点）までの時間を測定し、その時間を当該吸収体の吸水速度とする。
【００４４】
なお、ＪＩＳ規格Ｋ７２２４に規定されたＶｏｒｔｅｘ法は、「水を高度に吸収して膨張する高吸水性樹脂」を試験対象としているが、第１吸収体１３及び第２吸収体２１に、当該規格に定義された「高吸水性樹脂」以外の材料を使用してもよい。第１吸収体１３及び第２吸収体２１の一方又は両方が「水を高度に吸収して膨張する高吸水性樹脂」以外の材料である場合には、当該材料を試料としてＶｏｒｔｅｘ法と同等の試験を行ったときに得られる時間を、吸水速度とすればよい。
【００４５】
開口部１０ａへ逆流する尿を迅速に吸収するために、第２吸収体２１の上記Ｖｏｒｔｅｘ法に基づく吸水速度は、１０秒以下であることが望ましく、５秒以下であればより望ましく、３秒以下であれば更に望ましい。
【００４６】
このような吸水速度を有する第２吸収体２１は、例えば、ポリアクリル酸ソーダ等の高吸水性樹脂に所定の処理を施すことにより、得ることができる。第２吸収体２１は、高吸水性樹脂から得られる高分子吸収体のみで構成されていることが望ましいが、第２吸収体２１の全体としての吸水速度が上記の要求を満足する範囲であれば、他の材料が含まれていてもよい。また、樹脂以外の材料で、上記の吸水速度の要求を満足するものが見つかれば、それを第２吸収体２１に使用してもよい。
【００４７】
図３に示した通り、第２吸収体２１は、弾性部材１４より内側で、かつ、弾性部材１４と部分的に重なる位置に設けられている。このため、採尿パッド１を装着したときには、弾性部材１４の収縮力により、第２吸収体２１が男性器に密着する。これにより、男性器と開口部シート３０との間の隙間が閉塞され、開口部１０ａからの尿の漏れが、より確実に防止される。
【００４８】
なお、第２吸収体２１の全体が、弾性部材１４と重なる位置に設けられていてもよい。ただし、本実施形態の図３のように、第２吸収体２１の開口部１０ａ側の端部２１ａは、開口部１０ａの縁１０ｃから離間していることが望ましい。このようにすれば、第２吸収体２１を介して開口部１０ａの縁１０ｃまで尿が浸透することを、防止することができる。
【００４９】
また、本実施形態では、第２吸収体２１を構成する材料が、吸水により膨張する性質を有する。このため、第２吸収体２１は、尿を吸収すると膨張し、男性器と開口部シート３０との間の隙間を更に閉塞する。これにより、開口部１０ａからの尿の漏れが、より確実に防止される。
【００５０】
また、第２吸収体２１は、顆粒状又はビーズ状であることが望ましい。顆粒状又はビーズ状であれば、透水性シート２２の内部に第２吸収体２１を均一に分布させることができる。このため、開口部１０ａの全周に亘って、より確実に尿の漏れを防止することができる。
【００５１】
また、本実施形態では、複数の弾性部材１４を被覆するようにバックシート１２の端部が折り返されている。このため、弾性部材１４と第２吸収体２１との間には、バックシート１２の折り返された部分が介在する。バックシート１２は液不透過性であるため、第２吸収体２１から弾性部材１４側へ、尿が浸透してしまうことは防止される。特に、濡れに弱い接着剤で弾性部材１４が固定されている場合であっても、当該接着剤の接着力の低下を防止することができる。
【００５２】
＜３．変形例＞
以上、本発明の一実施形態について説明したが、本発明は上記の実施形態に限定されるものではない。
【００５３】
上記の実施形態では、第２吸収体２１は透水性シート２２に被覆されていたが、第２吸収体は、開口部シート３０とバックシート１２との間に、直に介挿されていてもよい。
【００５４】
また、上記の実施形態では、吸収シート体２０の内側は開口部シート３０に覆われていたが、吸収シート体２０は、開口部シート３０に覆われることなく、袋体１０の内部に露出していてもよい。
【００５５】
また、上記の実施形態では、長方形状の積層体２を折曲してその両側辺をシールすることにより、袋体１０が構成されていたが、袋体１０は、必ずしも長方形状の積層体２を折曲したものでなくてもよい。例えば、複数枚の積層体を接合して、袋体１０が構成されていてもよい。
【符号の説明】
【００５６】
１  採尿パッド
２  積層体
２ａ  折曲線
１０  袋体
１０ａ  開口部
１０ｂ  スリット
１１  トップシート
１２  バックシート
１３  吸収体
１４  弾性部材
２０  吸収シート体
２１  吸収体
２２  透水性シート
３０  開口部シート
４０  固定部材
４１  基材シート
４２  雄部材
【図１】
0005438403.tif 000002
【図２】
0005438403.tif 000003
【図３】
0005438403.tif 000004
【図４】
0005438403.tif 000005